(57)【特許請求の範囲】
【請求項１】
線状ゴムの各自由端を連結する装身具用連結具であって、前記各自由端に作成した相互の結び目を保持する第一本体と蓋の役割をなす第二本体からなり、前記第一本体開口内に前記相互の結び目を収めた状態で、前記第一本体と前記第二本体を結合手段で結合することによって、前記相互の結び目が、結合した前記第一本体と前記第二本体内に収められた状態を維持され、前記第一本体には、前記線状ゴムを伸長させた状態で通過させることができる幅の一対の切り欠き及び該一対の切り欠きに連接する位置に前記相互の結び目の出入りを許さないサイズの一対の孔が形成され、前記一対の孔の中心が、前記第一本体と前記第二本体が結合して一体化した本体の中心軸上に配置できるように、前記第一本体の前記一対の孔付近の一部が相互に凸部に形成され、前記第二本体が前記第一本体の相互の前記凸部に沿う凹部に形成されていることを特徴とする装身具用連結具。
【請求項２】
前記第一本体において、前記線状ゴムを通過させる前記一対の切り欠き及び前記一対の切り欠きに連接する位置に前記相互の結び目の出入りを許さないサイズの前記一対の孔が、複数対形成されていることを特徴とする請求項１に記載の装身具用連結具。
【請求項３】
前記第一本体の前記複数対の孔付近の一部が、前記複数対分、凸部に形成され、前記第二本体が前記複数対分の前記凸部に沿う凹部に形成されていることを特徴とする請求項２に記載の装身具用連結具。
【発明の詳細な説明】
【技術分野】
【０００１】
この発明は、線状ゴムの各自由端に作成した相互の結び目を連結し、容易に線状ゴムを環状にすることができると共に、前記相互の結び目を隠匿することができるための連結具に関するものである。
【背景技術】
【０００２】
従来から、線状ゴムを環状にする装身具、特に、通し孔が設けられた任意の数の装飾体からなるブレスレットの線状ゴム通しの方法は、任意の数の装飾体に線状ゴムを通した後、前記線状ゴムの張り具合を考慮しながら、前記線状ゴムの各自由端を向かい合わせて解けないように結び目を作成して環状にする。さらに、前記結び目は露出状態で美観を損なうため、前記結び目の両側に位置するどちらか一方の装飾体の通し孔に隠匿していた。
【先行技術文献】
【特許文献】
【０００３】
該当する文献が見当たらない。
【発明の概要】
【発明が解決しようとする課題】
【０００４】
線状ゴムを環状にする装身具、特に、通し孔が設けられた任意の数の装飾体からなるブレスレットの従来の線状ゴム通しの方法においては、任意の数の装飾体を通る線状ゴムの張り具合が弱い場合、弛みが生じて前記装飾体間から前記線状ゴムの一部が可視し、美観を損なう。また、前記線状ゴムの張り具合が強い場合、ブレスレットを手首に通す際、手指の第３関節付近で窮屈感が生じて前記ブレスレットの着脱が困難になる。そのため、前記線状ゴムの張り具合を考慮しながら、前記線状ゴムの各自由端を向い合わせて解けないように結び目を作成して環状にすることは技術および経験を要する。
【０００５】
また、ブレスレットの美観を損ねないために、前記結び目を前記結び目の両側に位置するどちらか一方の装飾体の通し孔に挿入して隠匿するが、前記通し孔のサイズが前記結び目のサイズより小さい場合、前記結び目の挿入は困難である。また、前記通し孔のサイズが前記結び目のサイズと同等、若しくは、それ以上の場合、前記結び目を挿入して隠匿することができるが、一時的であり、前記線状ゴムが伸縮することにより、隠匿した前記結び目、あるいは、前記結び目を隠匿した前記装飾体が移動し、前記結び目が露出状態となる場合があり、前記ブレスレットの美観を損なう。
【０００６】
また、線状ゴムの種類によっては、前記結び目を要せずに、線状ゴムの相互の先端部を向かい合わせて、熱を利用して固着する方法も用いられるが、熱器具が必要であり、前記相互の先端部をしっかりと固着するには技術を要する。
【０００７】
よって、線状ゴムを環状にする装身具、特に、ブレスレットの線状ゴム通しは、技術、経験や手間等を要するものであり、経験のない者にとっては非常に困難である。
【０００８】
本発明は、以上のような欠点を解決し、線状ゴムの各自由端を個別に扱い、前記各自由端の所定の位置に簡単な結び目を作成することができれば、老若男女問わず、誰にでも、容易に線状ゴムを環状にすることができ、かつ、前記相互の結び目を隠匿することができる連結具の提供を目的とする。
【課題を解決するための手段】
【０００９】
本発明は、線状ゴムの各自由端を連結する装身具用連結具であって、前記各自由端に作成した相互の結び目を保持する第一本体と蓋の役割をなす第二本体からなり、前記第一本体開口内に前記相互の結び目を収めた状態で、前記第一本体と前記第二本体を結合手段で結合することによって、前記相互の結び目が、結合した前記第一本体と前記第二本体内に収められた状態を維持されることを特徴とするものである。
【００１０】
更に本発明は、第一本体には、前記線状ゴムを伸長させた状態で通過させることができる幅の一対の切り欠き及び該一対の切り欠きに連接する位置に前記相互の結び目の出入りを許さないサイズの一対の孔が形成されていることを特徴とするものである。
【００１１】
更に本発明は、一対の孔の中心が前記第一本体と前記第二本体が結合して一体化した本体の中心軸上に配置できるように、前記第一本体の前記一対の孔付近の一部が相互に凸部に形成され、前記第二本体が前記第一本体の相互の前記凸部に沿う凹部に形成されていることを特徴とするものである。
【００１２】
又本発明は、第一本体において、前記線状ゴムを通過させる前記一対の切り欠き及び前記一対の切り欠きに連接する位置に前記相互の結び目の出入りを許さないサイズの前記一対の孔が、複数対形成されていることを特徴とするものである。
【００１３】
更に本発明は、前記第一本体の前記複数対の孔付近の一部が、前記複数対分、凸部に形成され、前記第二本体が前記複数対分の前記凸部に沿う凹部に形成されていることを特徴とするものである。
【００１４】
又本発明は、前記結合手段において、前記第一本体と前記第二本体に係止部及び係合受部が設けられていて、押圧することにより結合することを特徴とするものである。
【００１５】
又本発明は、前記結合手段において、接着剤を使用して前記第一本体と前記第二本体を結合することを特徴とする装身具用連結具。
【発明の効果】
【００１６】
（１）前記第一本体と前記第二本体を結合手段で結合するので、前記相互の結び目を該内部に隠匿することができ、また、見栄えがよく、従来のように線状ゴムの各自由端を向い合わせて解けないように作成した結び目を装飾体の通し孔に挿入して隠匿するという困難な作業が不要となる。
【００１７】
（２）線状ゴムの片端に作成した結び目を収めた第一本体の開口に手指を添えて塞ぎ、前記結び目付近の前記線状ゴムを伸長させた状態で、切り欠きから孔まで挿入し、前記線状ゴムの伸長の解除を行った後は、前記線状ゴムは元の太さに戻るので、再度、前記線状ゴムを伸長しながら前記切り欠き方向に移動しない限り、前記結び目は前記第一本体から離脱しない。従って、前記結び目は前記第一本体に一時的に保持された状態なので、両手を自由に使って容易に作業を進めることができる。
【００１８】
（３）線状ゴムは、結合した第一本体と第二本体の中心軸の延長上に位置するので、見栄えが良く、また、前記結合時、前記第一本体の内側に設けた係合受部と前記第二本体の内側に設けた係止部が目視できなくても、前記第一本体に設けた凸部と前記第二本体に設けた凹部とが沿うように合わせれば、前記係合受部と前記係止部の合致を容易にすることができる。
【００１９】
（４）結合した第一本体と第二本体の内部に線状ゴムの各自由端に作成した相互の結び目を完全に保持して、前記線状ゴムを環状にし、かつ、前記相互の結び目を隠匿することができる。
【図面の簡単な説明】
【００２０】
【図１】本発明による装身具用連結具の実施例の係合前の状態を示す斜視図。
【図２】図１に示した装身具用連結具の係合時の例を示す正面図。
【図３】線状ゴムの相互の結び目を保持させた状態の第一本体の例を示す上面図。
【発明を実施するための形態】
【実施例１】
【００２１】
以下、本発明の装身具用連結具の実施例について図面を参照して説明する。図１は２つの本体図１（ａ），（ｂ）からなる本発明の一例を示し、材質は弾性のある合成樹脂、あるいは、弾性のある金属などで構成される。弾性のある材質を用いることにより、一対の係止部１０ａ，ｂと一対の係合受部６ａ，ｂの係合が容易に可能となる。
【００２２】
図１（ａ）は、第一本体１に保持された相互の結び目１２ａ，ｂ（図３参照）横の線状ゴム１１が、第一本体１の切り欠き５a，bからの離脱を防止する役割を持つ第二本体７の一例を示し、一面を開口２した半球状で、第二本体７の内側には対称となる位置に一対の係止部１０ａ，ｂを有し、かつ、第一本体１との係合時に第一本体１の一対の凸部４ａ，ｂに沿う一対の凹部９ａ，ｂを有した形状である。
【００２３】
図１（ｂ）は、相互の結び目１２ａ，ｂ（図３参照）を一時的に保持する役割を持つ第一本体１の一例を示し、一面を開口２した半球状で、第一本体１の内側には対称となる位置に一対の係合受部６ａ，ｂを有し、かつ、第二本体７との係合時に接する一部に対称となる位置に一対の凸部４ａ，ｂを有し、かつ、一対の凸部４ａ，ｂの相互の上部から一対の切り欠き５ａ，ｂを設け、また、一対の係止部１０ａ，ｂと一対の係合受部６ａ，ｂが係合して一体化した本体の中心を通る一直線上に、かつ、一対の切り欠き５ａ，ｂに連接する位置に一対の孔３ａ，ｂを設けた形状である。また、一対の切り欠き５ａ，ｂの幅は、線状ゴム１１を伸長させた状態でのみ出入りを許すサイズ、すなわち、線状ゴム１１の５０〜８０％程度の幅が好ましく、また、一対の孔３ａ，ｂのサイズは、相互の結び目１２ａ，ｂの出入りを許さないサイズで、かつ、一対の切り欠き５ａ，ｂの幅より少し大きめのサイズ、つまり、線状ゴム１１に極度の圧迫を掛け過ぎない程度のサイズである、線状ゴム１１の太さの７０〜１００％程度のサイズが好ましい。また、一対の切り欠き５ａ，ｂおよび一対の孔３ａ，ｂのエッジに線状ゴム１１の擦り切れを防止するために、面取り、あるいは、角丸めを設けても良い。
【００２４】
また、一対の係止部１０ａ，ｂ及び一対の係合受部６ａ，ｂの形状は、この限りでなく、材質、あるいは、製造方法により適宜変更するものとし、第一本体１と第二本体７が一体化し得る形状であればよい。
【００２５】
図２は、第一本体１と第二本体７を向い合わせて押圧により、一対の係止部１０ａ，ｂと一対の係合受部６ａ，ｂが係合して一体化をなした本体の形状の例を示した正面図である。
【００２６】
図３は、線状ゴム１１の各自由端に作成した相互の結び目１２ａ，ｂを一時的に保持させた状態の第一本体１の例を示した上面図である。
【００２７】
また、本実施例においては、第一本体１と第二本体７が一体化すれば、解除が不可能となるが、線状ゴムを環状にする装身具の着脱時には、線状ゴムの伸縮を利用するため、前記解除の必要がない。また、例えば、線状ゴムを環状にする装身具、特に、任意の数の装飾体からなるブレスレットにおいては、前記解除を容易に可能とする機能を持たせた場合、外的要因による圧力、衝撃等により、第一本体１と第二本体７の一体化が解除され、さらに、第一本体１から線状ゴム１１が離脱し、結果、前記ブレスレットの紛失に繋がりかねない。ただし、２つの本体図１（ａ），（ｂ）が高価な貴金属等の材質で構成される場合、再利用が望まれるので、その限りではなく、図示しないが、前記解除が可能となる機能を持つ係止部及び係合受部を設ければよい。
【００２８】
また、一対の係合受部６ａ，ｂ及び一対の係止部１０ａ，ｂを設けずに、接着剤を用いて相互の結び目１２ａ，ｂを係止した第一本体１と第二本体７を一体化してもよい。
【００２９】
また、相互の結び目１２ａ，ｂを係止した第一本体１と第二本体７を一体化する際に、一対の係合受部６ａ，ｂ及び一対の係止部１０ａ，ｂが目視できなくても、一対の凸部４ａ，ｂと一対の凹部９ａ，ｂが沿うように配置するので、第一本体１と第二本体７を問題なく係合することができる。
【００３０】
以下、本発明の使用順序の一例を説明する。例えば、通し孔が設けられた任意の数の装飾体からなるブレスレットの線状ゴム交換は、まず、手芸店等で市販されている線状ゴム１１を用いて、線状ゴム１１の片端に結び目１２ａを作成するが、結び目１２ａは従来のような、線状ゴムの張り具合を考慮しながら、線状ゴムの各自由端を向かい合わせて解けないように作成する結び目とは違い、線状ゴムの１つの自由端を環状にし、前記環状内を通過するように前記自由端の先端部をくぐらせて作成する結び目なので、容易に作成できる。第一本体１の開口２に結び目１２ａを収めて、開口２を塞ぐように手指を添え、結び目１２ａ付近の線状ゴム１１を伸長させた状態で、切り欠き５ａから孔３ａまで挿入し、結び目１２ａ横の不要となる部分を１〜２ミリメートル程度残して、ニッパー、はさみ、あるいは、爪切りばさみ等で切断する。線状ゴム１１の通常時の太さより細い幅の切り欠き５ａ，ｂを設けているので、線状ゴム１１の伸長の解除を行った際、線状ゴム１１は通常の太さに戻り、結び目１２ａ付近の線状ゴム１１を伸長させて、かつ、切り欠き５ａ方向へ導かない限り、結び目１２ａは第一本体１から容易に離脱しない。従って、結び目１２ａは第一本体１に一時的に保持された状態なので、両手を自由に使って容易に次の作業に進むことができる。
【００３１】
次に、未だ結びを作成していない側の線状ゴム１１の自由端から任意の数の装飾体を通した後、線状ゴム１１に適度な張り具合、あるいは、任意の張り具合を持たせて、最後に通した装飾体に隣接するように結び目１２ｂを作成し、あるいは、任意の位置に結び目１２ｂを作成した後、第一本体１の開口２に結び目１２ｂを収めて、開口２を塞ぐように手指を添え、結び目１２ｂ付近の線状ゴム１１を伸長させた状態で、切り欠き５ｂから孔３ｂまで挿入し、結び目１２ｂ横の不要となる部分を１〜２ミリメートル程度残して切断する。また、図３に示すように相互の結び目１２ａ，ｂは一時的に第一本体１に保持されているので、その後も、両手を使って無理なく作業を進めることができる。
【００３２】
最後に、相互の結び目１２ａ，ｂを一時的に保持した第一本体１と第二本体７を向かい合わせて、押圧し、一対の係合受部６ａ，ｂと一対の係止部１０ａ，ｂを係合させることにより、第一本体１と第二本体７が一体化をなし、かつ、相互の結び目１２ａ，ｂ横の線状ゴム１１が一対の切り欠き５ａ，ｂに移動しても、一体化した本体からの離脱は不可能となり、相互の結び目１２ａ，ｂを完全に保持することができる。また、第一本体１と同様に、第二本体７にも開口８を設けているので、相互の結び目１２ａ，ｂのサイズが大きくても、一体化した本体内に収納することができる。
【００３３】
よって、本発明を使用すれば、無理なく段階を経て作業を進めていくので、技術、経験を要せずに容易に線状ゴム１１を環状にすることができ、かつ、相互の結び目１２ａ，ｂを隠匿することができる。
【００３４】
また、相互の結び目１２ａ，ｂの隣に位置する各装飾体の通し孔が、相互の結び目１２ａ，ｂの出入りを許さないサイズであれば、任意の数の装飾体に線状ゴム１１を通し、前記装飾体の一連の両端に相互の結び目１２ａ，ｂを作成した後、第一本体１に相互の結び目１２ａ，ｂを保持させ、第二本体７と一体化しても良い。
【００３５】
また、線状ゴムの種類や太さの違いにより、相互の結び目１２ａ，ｂのサイズは不定であるため、相互の結び目１２ａ，ｂが、一対の孔３ａ，ｂからの出入りを許してしまう場合は、相互の結び目１２ａ，ｂ横の不要となる部分を１〜２ミリメートル程度残して切断する前に、相互の結び目１２ａ，ｂの同位置に別途１〜２回結びを行い、相互の結び目１２ａ，ｂのサイズが大きくなるようにすれば良い。また、それ以上の回数の結びを必要とする場合は、手間が掛かるため、本発明に適応する線状ゴムを使用すれば何ら問題はない。
【００３６】
また、第一本体１と第二本体７が一体化した形状は、本実施例に限らず、ハート体、星体、楕円球、立方体、直方体、多角形体等の任意の形状であっても良い。
【００３７】
また、本実施例における一対の凸部４ａ，ｂ及び一対の凹部９ａ，ｂの形状は円弧状であるが、その限りではなく、角状等であっても良い。
【００３８】
本発明により、本発明の使用者は市販のビーズ等の装飾体と線状ゴム、あるいは、デザインされた線状ゴムのみを購入して、線状ゴムを環状にする装身具である、ブレスレット、ネックレス、アンクレット、ヘアゴム等を好みに応じて容易に作成して楽しむことができる。
【符号の説明】
【００３９】
１第一本体
２、８開口
３ａ，ｂ孔
４ａ，ｂ凸部
５ａ，ｂ切り欠き
６ａ，ｂ係合受部
７第二本体
９ａ，ｂ凹部
１０ａ，ｂ係止部
１１線状ゴム
１２ａ，ｂ結び目
【図１】
0005527672.tif 000002
【図２】
0005527672.tif 000003
【図３】
0005527672.tif 000004